(57)【要約】      （修正有）【課題】屋外に設置されて使用される電気温水器、自動販売機等の外装体の天板上に溜まった土ぼこりと雨水や雪との泥水による汚れの防止構造を提供する。【解決手段】前面板１２、背面板、両側板１４、天板１５、底板１６とから角形箱状の外装体１１において、天板１５上の外周にＵ字状の排水溝１８を設ける。天板１５上に溜まった雨や雪が、土ぼこりと混ざりあい泥水となつて排水溝１８に流れ落ち、強制的に背面板側に導かれ外装体１１外へ排水される。【選択図】図１
2005114269.tif 000002
【特許請求の範囲】
【請求項１】
前面板、背面板、両側板、天板、底板とから構成される角形箱状の外装体において、前記天板上の外周に、前記背面板側に雨水を強制的に流れ落とす排水溝を設けたことを特徴とする外装体の汚れ防止構造。
【請求項２】
筒状の胴体と、この筒状の胴体の上下に設けられた天板および底板とから構成される外装体において、前記天板上の外周に、前記胴体の後面側に雨水を強制的に流れ落とす排水溝を設けたことを特徴とする外装体の汚れ防止構造。
【発明の詳細な説明】
【技術分野】
【０００１】
本発明は、屋外に設置されて使用される電気温水器等の外装体の汚れ防止構造に関する。
【背景技術】
【０００２】
従来、例えば、電気温水器は屋外に設置された場合、雨水の浸入を防止するために、タンクの周囲に外装体を設けている。例えば、角形の電気温水器の外装体は、前面板、背面板、両側板、天板、底板とから構成され、外装体内部のタンクや各種電装部品等に雨水が浸入しないようになっている。
【０００３】
また、丸形の電気温水器の外装体は、筒状の胴体の上下に天板と底板を設け、外装体内部のタンクや各種電装部品等に雨水が浸入しないようになっている（例えば、特許文献１参照）。
【０００４】
また、自動販売機の外装体も角形の電気温水器同様に、前面扉、背面板、両側板、天板、底板とから構成され、外装体の各種機器に雨水が浸入しないようになっている（例えば、特許文献２参照）。
【特許文献１】実開平４−１２９０６２号公報（第１頁、図２）
【特許文献２】実開平５−０４０９７８号公報（第１頁、図４）
【発明の開示】
【発明が解決しようとする課題】
【０００５】
しかし、このような屋外に設置された電気温水器や自動販売機は、外装体の天板上に溜まった雨や雪が、土ぼこりと混ざりあって泥水となり外装体の前面、背面、側面に流れ落ち、雨だれ後が汚れとなって残り、外観的に見苦しくなる問題がある。
【０００６】
本発明は、このような点に鑑みなされたもので、外装体の天板上に溜まった雨や雪と、土ぼこりの混ざりあった泥水を、強制的に背面側に流れ落とすようにすることにより、泥水が前面側および側面側に流れ落ちることを防止し、前面および側面が汚れのない外装体の汚れ防止構造を提供することを目的とする。
【課題を解決するための手段】
【０００７】
請求項１記載の外装体の汚れ防止構造は、前面板、背面板、両側板、天板、底板とから構成される角形箱状の外装体において、前記天板上の外周に、前記背面板側に雨水を強制的に流れ落とす排水溝を設けたものである。
【０００８】
そして、この構成では、天板上に溜まった雨や雪と、土ぼこりの混ざりあった泥水を排水溝により強制的に背面側に流れ落とすようにすることにより、前面側および側面側が汚れにくく美観が損なわれない。また、天板は排水溝を形成することにより強度がアップする。
【０００９】
請求項２記載の外装体の汚れ防止構造は、筒状の胴体と、この筒状の胴体の上下に設けられた天板および底板とから構成される外装体において、前記天板上の外周に、前記胴体の背面側に雨水を強制的に流れ落とす排水溝を設けたものである。
【００１０】
そして、この構成では、天板上に溜まった雨や雪と、土ぼこりの混ざりあった泥水を排水溝により強制的に胴体の背面側に流れ落とすようにすることにより、背面側が汚れにくく美観が損なわれない。また、天板は排水溝を形成することにより強度がアップする。
【発明の効果】
【００１１】
請求項１記載の外装体の汚れ防止構造によれば、天板上に溜まった雨や雪と、土ぼこりの混ざりあった泥水を排水溝により強制的に背面側に流れ落とすことができ、前面側および側面側が汚れにくく美観が損なわれない。また、天板は排水溝を形成することにより強度がアップする。
【００１２】
請求項２記載の外装体の汚れ防止構造によれば、天板上に溜まった雨や雪と、土ぼこりの混ざりあった泥水を排水溝により強制的に胴体の背面側に流れ落とすことができ、背面側が汚れにくく美観が損なわれない。また、天板は排水溝を形成することにより強度がアップする。
【発明を実施するための最良の形態】
【００１３】
以下、本発明の一実施の形態を図面を参照して説明する。
【００１４】
図１及び図２に角形電気温水器Ａの構成を示し、１１は外装体で、この外装体１１は、前面板１２、背面板１３、側面板１４，１４、天板１５、底板１６から構成され、外装体１１内部にある図示しないタンクや電装部品等を覆い雨水の浸入を防止するようになっている。１７は電源ボックスカバーで前面板１２の上部に設けられている。また、天板１５上の周囲には天板１５上に溜まった雨や雪と土ぼこりの混ざりあった泥水を、強制的に背面側１３に流れ落とすＵ字状の排水溝１８が設けられている。なお、１９は側面板１４，１４下端に設けられた設置脚である。
【００１５】
次に、本実施の形態の作用を説明する。
【００１６】
まず、角形電気温水器Ａは、図３に示されるように家屋Ｂの屋外の軒下等に設置脚１９を用いて設置される。そして、このように家屋Ｂの屋外の軒下等に設置された角形電気温水器Ａは、天板１５上に溜まった雨や雪が、土ぼこりと混ざりあい泥水となつた場合、この泥水は天板１５上の外周に設けられた排水溝１８に流れ落ち、そして、背面板１３側に強制的に導かれて背面板１３側から外装体１１外へ排水される。
【００１７】
したがって、天板１５上に溜まった雨や雪と土ぼこりとが混ざりあった泥水は前面板１２、側面板１４，１４側には流れにくく、前面板１２および側面板１４，１４側の汚れが軽減され正面から見た美観が損なわれない。また、天板１５は排水溝１８を形成することにより強度がアップされる。
【００１８】
次に、丸形電気温水器の実施形態について説明する。
【００１９】
図４および図５に丸形電気温水器Ｃの構成を示し、２１は外装体で、この外装体２１は筒状の胴体２２と、この筒状の胴体２２の上下に設けられた天板２３および底板２４とから構成され、この外装体２１内部には図示しないタンクや電装部品等を覆い雨水の浸入を防止するようになっている。２５は電装品カバーで胴体２２の下方に設けられている。また、天板２３の周囲には天板２３上に溜まった雨や雪と土ぼこりの混ざりあった泥水を、強制的に背面側に流れ落とす背面側の一部を切り欠いた丸形の排水溝２６が設けられている。なお、２７は胴体２２の下端に設けられた設置脚である。
【００２０】
次に、丸形電気温水器の形態の作用を説明する。
【００２１】
まず、丸形電気温水器Ｃは角形電気温水器Ａのように家屋Ｂの屋外の軒下等に設置脚２７を用いて設置される。そして、このように家屋Ｂの屋外の軒下等に設置された丸形電気温水器Ｃは、天板２３上に溜まった雨や雪が、土ぼこりと混ざりあい泥水となつた場合、この泥水は天板２３上の外周に設けられた排水溝２６に流れ落ち、そして、胴体２２の背面側に強制的に導かれ胴体２２の背面側から外装体２１外へ排水される。
【００２２】
したがって、天板２３上に溜まった雨や雪と土ぼこりとが混ざりあった泥水は胴体２２前面側および側面側には流れにくく、前面側および側面側の汚れが軽減され正面から見た美観が損なわれない。また、天板２３は排水溝２６を形成することにより強度がアップされる。
【００２３】
なお、本実施例では電気温水器について説明したが、電気温水器に限らず屋外設置型の自動販売機等に適用しても良い。
【図面の簡単な説明】
【００２４】
【図１】本発明の一実施形態を示す角形電気温水器の外装体の外観斜視図である。
【図２】同上、角形電気温水器の上面から見た上面図である。
【図３】同上、角形電気温水器の設置状態を説明する説明図である。
【図４】同上、他の実施形態を示す丸形電気温水器の外装体の外観斜視図である。
【図５】同上、丸形電気温水器の上面から見た上面図である。
【符号の説明】
【００２５】
１１，２１  外装体  
１２  前面板
１３  背面板
１５，２３  天板
１６  底板
１７，２６  排水溝
１８  整流板
２２  胴体
【図１】
2005114269.tif 000003
【図２】
2005114269.tif 000004
【図３】
2005114269.tif 000005
【図４】
2005114269.tif 000006
【図５】
2005114269.tif 000007